(57)【要約】【課題】  庫内クリーニングの忘れる事を防止し、庫内のにおい残りを少なくし、キッチンの環境を良好に保つ。【解決手段】  被加熱物を入れて調理する庫内と、該庫内に設け前記被加熱物を加熱するグリルヒータ３０２と、前記被加熱物の調理メニューを設定する操作キー１０ａと、操作キー１０ａの入力に応じてグリルヒータ３０２を制御する制御手段３０７と、を備え、制御手段３０７は、前記被加熱物の調理回数をカウントし、該カウント数が特定の回数に到達した時は、グリルヒータ３０２を制御して前記庫内に飛散した脂を焼き切ることを促すものである。【選択図】図４
2018040544.tif 000002
【特許請求の範囲】
【請求項１】
被加熱物を入れて調理する庫内と、
該庫内に設け前記被加熱物を加熱するグリルヒータと、
前記被加熱物の調理メニューを設定する操作キーと、
該操作キーの入力に応じて前記グリルヒータを制御する制御手段と、を備え、
該制御手段は、
前記被加熱物の調理回数をカウントし、
該カウント数が特定の回数に到達した時は、
前記グリルヒータを制御して前記庫内に飛散した脂を焼き切る自動清掃を促すことを特徴とするグリル加熱手段。
【請求項２】
前記自動清掃を実施するまでの前記特定の回数は、
前記被加熱物を加熱したときに入力した前記調理メニューに応じて設定し、
加熱時に脂の飛散が多い前記調理メニューを行った時は、
前記特定の回数を少なくすることを特徴とする請求項１記載のグリル加熱手段。
【発明の詳細な説明】
【技術分野】
【０００１】
本発明は、グリル加熱手段の清掃に関するものである。
【背景技術】
【０００２】
加熱調理器の調理では、魚や肉を焼いた際に、食材からでる油が加熱室に付着し、調理の回数を重ねるたびに庫内に油の蓄積が多くなり臭いが残るという問題があった。従来、この問題に対して、調理を５〜６回使用した後に、加熱室に付着した油の焼き切りを行う加熱室のクリーニングの実施を実施していた。
【先行技術文献】
【特許文献】
【０００３】
【特許文献１】特開２００６−２８８７７８号公報
【発明の概要】
【発明が解決しようとする課題】
【０００４】
しかしながら、調理の回数を忘れてクリーニングの実施が行われなかったり、頻繁にクリーニングを行うと消費エネルギーが増えユーザーの経済的負荷が増えるという課題があった。
【課題を解決するための手段】
【０００５】
本発明は、上記課題を解決するためになされたものであり、被加熱物を入れて調理する庫内と、該庫内に設け前記被加熱物を加熱するグリルヒータと、前記被加熱物の調理メニューを設定する操作キーと、該操作キーの入力に応じて前記グリルヒータを制御する制御手段とを備え、該制御手段は、前記被加熱物の調理回数をカウントし、該カウント数が特定の回数に到達した時は、前記グリルヒータを制御して前記庫内に飛散した脂を焼き切ることを促すことを特徴とする。
【発明の効果】
【０００６】
本発明によれば、庫内クリーニングの忘れる事を防止し、庫内のにおい残りを少なくし、キッチンの環境を良好に保つ。
【図面の簡単な説明】
【０００７】
【図１】本発明の実施例を説明する誘導加熱調理器をシステムキッチンに組み込んだ状態の斜視図である。
【図２】本発明の実施例における誘導加熱調理器の斜視図である。
【図３】本発明の実施例における誘導加熱調理器の構成を説明するブロック図である。
【図４】本発明の実施例のフローチャートである。
【発明を実施するための形態】
【０００８】
以下、本発明の実施例を図面に従って説明する。
【０００９】
まずは、図１および図２において、１は、誘導加熱調理器の本体である。２は、本体１の上面を覆うトッププレートで、耐熱性の高い素材、例えば、結晶化ガラス等が用いられ、その上面には鍋等の調理器具（被加熱物）が載置される。
【００１０】
３は、トッププレート枠であり、トッププレート２の周囲の端部を覆うもので、該トッププレート２の間にはシール材が充填されており、これによりトッププレート枠３はトッププレート２に固着されている。そして、トッププレート２の上に液体がこぼれても、シール材により本体１内部への水の浸入が防止され水密構造が実現される。
【００１１】
また、トッププレート枠３は本体１にも固定されていて、本体１をシステムキッチン１３に組み込むときには、トッププレート枠３で本体１を吊り下げて設置される。
【００１２】
３３４、３３５，３３６は、鍋位置表示部であり、トッププレート２の上面に設けられ、鍋等の調理器具の載置場所を表示している。
【００１３】
３２４、３２５、３２６は、加熱コイルで、トッププレート２に略水平になるように鍋位置表示部３３４、３３５、３３６の下方の本体１内に設けられており、加熱コイル３２４、３２５、３２６に高周波電流を印加して高周波磁界を発生させ、トッププレート２に載置された鍋等の調理器具を誘導加熱する。
【００１４】
６は、グリル加熱手段であり、加熱コイル３２４、３２５、３２６の下方で本体１の左側または右側（本実施例では左側）の本体１前面部に設けられ、矩形状の箱体（庫内）で構成されていて、庫内に入れられた被加熱物を加熱するグリルヒータ３０２（図３）の加熱手段を有している。
【００１５】
７は、グリル加熱手段６の扉で、とって７ａが設けられており、グリル加熱手段６の内部には扉７に伴って出し入れ可能な受け皿（図示せず）が収納されている。
【００１６】
８は、トッププレート枠３の後枠部に開口する吸気部であり、後記するインバータ回路や加熱コイル３２４、３２５、３２６等を冷却する空気を吸気する。
【００１７】
９は、トッププレート枠３の後枠部に開口する排気部であり、インバータ回路や加熱コイル３２４、３２５、３２６等を冷却した空気やグリル加熱手段６からの排煙を排気する。そして、吸気部８、及び排気部９は、トッププレート２上にこぼした液体が開口部から吸気部８や排気部９内に落下しても本体１内部のインバータ回路等に浸入しない構成となっている。
【００１８】
１０は、開閉収納式の前面操作部で、主にグリル加熱手段６を操作するものであり、本実施例ではグリル加熱手段６の隣に位置するように本体１の前面右側に設けられている。
【００１９】
また、前面操作部１０は、閉じているときに上部を本体１側に押すことによりロック装置（図示せず）が解除され、前面操作部１０の上部が前面側にバネと制御装置（図示せず）により前面側にゆっくりと回動して飛び出すようになっており、逆に閉じるときは上部を本体１側に向かって押し込むことにより本体１に収納され、ロック装置により保持される構成となっている。
【００２０】
なお、図１は、前面操作部１０が開いている状態を示し、図２は、前面操作部１０が閉じている状態を示す。
【００２１】
前面操作部１０の操作キー１０ａは、前記被加熱物の調理するメニューを設定するもので、操作キー１０ａで入力した内容は前面表示部１０ｂで使用者に判り易く表示される。但し、前記操作キー１０ａは後述する上面操作部１２の位置に設けても良い。
【００２２】
１１は、電源切／入スイッチで、本体１前面に設けられ、本体１の主電源の入切を行う。
【００２３】
１２は、上面操作部で、プレート枠３の前側に設けられており、夫々の加熱コイル３２４、３２５、３２６の出力等を調整する上面操作キー１２ａから構成されている。
【００２４】
図３は、本実施例における誘導加熱調理器の回路構成を説明するブロック図である。
【００２５】
図３において、３０１は、誘導加熱調理器に入力する商用の交流電源である。３０２は、グリル加熱手段６の内部に入れられた被加熱物を加熱するヒータである。３０４、３０５、３０６は、夫々の加熱コイル３２４、３２５、３２６の通電を制御するインバータ回路である。
【００２６】
３０７は、マイクロコンピュータで構成された制御手段で、操作キー１０ａや、上面操作キー１２ａの入力した操作信号を入力し、前面表示部１０ｂに表示信号を出力する。また、ヒータ３０２の通電を制御し、加熱コイル３２４、３２５、３２６の通電を制御するインバータ回路３０４、３０５、３０６に制御信号を出力する。
【００２７】
３０９は音声出力手段で制御手段３０７から制御信号を受信して音声またはブザー音を出力する。
【００２８】
図４は、本実施例におけるグリル調理後の自動清掃実施における動作を説明するフローチャートである。
【００２９】
工程１００は、グリル調理の加熱開始を示す。
【００３０】
工程１０１は、グリル調理の加熱終了を示す。
【００３１】
工程１０２は、自動清掃実施条件の成立を確認する工程である。
【００３２】
グリル加熱手段６の庫内の油の焼き切りを行う庫内クリーニングは、グリル調理を５〜６回行った後に実施する事を取扱説明書では推奨している。
【００３３】
工程１０２では、制御手段３０７にグリル加熱手段６の調理の使用回数を記憶し、グリル加熱手段６を、例えば、６回使用した後に、工程１０３へ進んで前述した庫内クリーニングである自動清掃の実施を使用者に促すものである。グリル加熱手段６を使用回数が６回に達しない場合は工程１０４に進んで全フローを終了するものである。
【００３４】
自動清掃の実施条件は、グリル加熱手段６の調理の回数をカウントされ、前記清掃が実施されると前記回数はクリアされる。
【００３５】
自動清掃の実施の促し方は、前面表示部１０ｂの表示または音声出力手段３０９により音声またはブザーを報知することで、使用者に自動清掃の実施を促す。
【００３６】
また、自動清掃を自動で実施する場合は、使用者に前面表示部１０ｂの表示または音声出力手段３０９により音声またはブザーで注意を報知する。
【００３７】
また、自動清掃の実施を使用者に促したり、清掃へ自動で移行する機能は、操作キー１０aまたは上面操作キー１２ａからの操作により設定することも可能である。
【００３８】
さらに、自動メニューを使用して調理が行われた時は、使用したメニューによっては食品からの脂などの飛び散りが少ないことが事前に推測する事が可能である。そのため調理するメニューに応じて清掃を判定する使用回数を設定する事も可能である。例えば、加熱時に脂の飛ぶ量が多い秋刀魚の調理が行われた時は、自動清掃を促す回数を４回と早い段階で使用者に知らせたり、もしくは秋刀魚の調理の時は毎回知らせても良い。ピザなどのパン料理はほとんど汚れないので、前記回数に含ませないことも可能である。
【００３９】
上記した本実施例によれば、庫内クリーニングの忘れる事を防止し、庫内のにおい残りを少なくし、キッチンの環境を良好に保つ。
【符号の説明】
【００４０】
１  本体
２  トッププレート
３  トッププレート枠
３３４〜３３６  鍋位置表示部
３２４、３２５、３２６  加熱コイル
６  グリル加熱手段
１０  前面操作部
１０ａ  操作キー
１１  電源切／入スイッチ
１２  上面操作部
３０２  グリルヒータ
３０４〜３０６  インバータ回路
３０７  制御手段
３０９  音声出力手段
【図１】
2018040544.tif 000003
【図２】
2018040544.tif 000004
【図３】
2018040544.tif 000005
【図４】
2018040544.tif 000006